(57)【要約】【課題】金属製の開創器に装着して安全に外科的手術を行うための、軟質材料製の開創器カバーを提供する。【解決手段】開創器カバー１を、開創器２の櫛状の手術創保持部２２に、本体１１が内側となるように突起部１２と固定部１３によって取り付け、手術創３１を固定して使用することで手術時に手術創３１を損傷することや、開創器２の手術創保持部２２の隙間からはみ出した組織を手術中に傷つけることを防ぐことが出来、また開創器カバー１の大きさを変更することで手術創の大きさによって様々な大きさの開創器を準備する必要がなく、さらに手術中に開創器の操作を行うための助手の医師がいなくても安全に手術を行なうことが出来る。【選択図】図２
2018099245.tif 000002
【特許請求の範囲】
【請求項１】
長方形板状の本体１１の片側に、金属製で鋏状の開創器２の櫛状の手術創保持部２２の厚さと隙間の形状に合わせた複数の突起部１２と、突起部１２の先端に突起部１２より大きな固定部２２を持ち、手術創保持部２２の隙間に突起部１２と固定部２２をはめ込んで固定出来ることを特徴とした、開創器カバー。
【請求項２】
シリコンゴム製や非金属製複合材料などの、軟質材料で構成されることを特徴とした、請求項１記載の開創器カバー。
【発明の詳細な説明】
【技術分野】
【０００１】
本発明は、外科的手術に用いる金属製の開創器に装着する、保護器具に関するものである。
【背景技術】
【０００２】
外科的手術を行う場合、手術創は開創器と呼ばれる器具で広げて固定する。
【０００３】
開創器としては、金属製の鋏状で、術野を固定する部分が数本の櫛状の形状になっているものが広く用いられている。
【０００４】
しかしながら従来の金属製の鋏状で、術野を固定する部分が櫛状の開創器は、術野を固定する際に手術創部を損傷する恐れがあることや、開創器の隙間からはみ出した組織を手術中に傷つける恐れがあること、また手術創の大きさによって様々な大きさの開創器を準備する必要があること、手術中に開創器の操作を行うために執刀医とは別の助手の医師を必要とする、などの問題があった。
【０００５】
また特許文献１にある、術野を固定する部分の非金属化を図った開創器も考案されているが、一般に広く用いられている開創器は利用出来ず、専用の開創器を準備する必要があった。  
【先行技術文献】
【特許文献】
【０００６】
【特許文献１】実用新案第３１９７３０２号
【発明の概要】
【発明が解決しようとする課題】
【０００７】
従来の金属製の鋏状の開創器には、次のような欠点があった。
（イ）金属製の櫛状の手術創保持部を手術創にあてて広げるため、手術創を損傷することで、治療に悪影響を及ぼすことがある。
（ロ）金属製の櫛状の部分から組織がはみ出し、それを手術中に傷つけることで治療に悪影響を及ぼすことや、神経などに重篤な後遺症を引き起こす恐れがある。
（ハ）手術創の大きさに合わせて、様々な大きさの開創器を準備する必要がある。
（ニ）手術中の開創器の細かな調整が必要で、執刀医とは別に助手の医師を必要とする。
本発明は、以上のような欠点を解決しようとするものである。
【課題を解決するための手段】
【０００８】
本発明は、金属製の鋏状で、術野を固定する部分が数本の櫛状の形状になっている開創器を用いて手術創を広げる際に、術野を固定する櫛状の部分に装着する、軟質材料製の開創器カバーを提供するものであり、材料としてはシリコンゴムや、非金属性複合材料などが用いられる。
【０００９】
軟質材料製の開創器カバーは、開創器の外側になる部分に平面状の本体を持ち、手術創を押さえる。
【００１０】
軟質材料製の開創器カバーは、金属製で鋏状の開創器の術野を固定する櫛状の部分の隙間とほぼ同じ幅で、断面が長方形や長円である突起部と、突起部の先端に突起部より大きく、かつ隣の突起部とは離れた固定部を持ち、この突起部、および固定部を開創器の櫛状の部分に嵌め込むことで、開創器に固定出来るようになっている。
【００１１】
軟質材料製の開創器カバーは、開創器の櫛状部分の先端の彎曲した部分にはかからず、開創器により手術創を押さえる機能を妨げないようになっている。
【発明の効果】
【００１２】
金属製の開創器を用いて手術創を広げる際に、開創器の手術創を押さえる部分に軟質材料製の開創器カバーを装着することで、開創器が手術創部を損傷することや、開創器からはみ出した組織を手術中に損傷することを防ぐ。また、開創器カバーの一部を手術創の大きさに合わせて切り取って使用することで、少数の開創器で様々な大きさの手術創に対応が可能となり、開創器の開創器カバーに柔軟性があるためその調整が簡便で、執刀医以外の助手の医師が不要となるという利点がある。
【発明を実施するための形態】
【００１３】
以下、本発明の使用形態について、添付図面を参照しながら詳細に説明する。
【００１４】
図１は本発明の開創器カバーの構成を示す斜視図であり、図２は開創器カバーの開創器への装着時の斜視図であり、図３は開創器カバーの使用方法を示した説明図である。
【００１５】
本発明の開創器カバーは、外科的手術時に用いられる、金属製の鋏状で、術野を固定する部分が数本の櫛状の形状になっている開創器に装着して用いられるものである。以下、本発明の構成について説明する。
【００１６】
この開創器カバー１は、本体１１と、本体の一端から設けられた突起部１２と、突起部１２の先端に設けられた固定部１３を有している。
【００１７】
開創器カバー１は、熱による滅菌操作を行っても変質せず、使用中に人体に悪影響を及ぼさない、医療用シリコンゴムや、軟質複合材料などで形成されている。
【００１８】
また、開創器カバー１に使用する医療用シリコンゴムや軟質複合材料には、適宜X線に写る造影剤を加えることが出来る。これにより、手術後の開創器カバー１の取り忘れなどの医療事故を防ぐことが出来る。
【００１９】
本体１１は長方形で、開創器２の手術創保持部２２が高さ１７ｍｍ、幅１４ｍｍである場合、その高さは１０〜１５ｍｍ、幅は２０〜２８ｍｍ程度が望ましいが、その大きさは装着される開創器のサイズによって適宜変更される。また幅広く手術創３１を広げて固定する必要がある場合、本体１１の幅はさらに大きくすることも出来る。
【００２０】
本体の片面には、装着中に開創器カバー１がずれることがないよう、角柱状の突起部１２が設けられている。
【００２１】
突起部１２の数は、開創器２の手術創保持部２２全体をカバーするため、その手術創保持部２２の櫛状部分の本数より1つ多いことが望ましいが、より幅広く手術創３１を広げる必要がある場合は、さらに多くすることも出来る。
【００２２】
突起部１２は、本体１１の下端付近から上端に向けて設置され、その長さは本体１１の高さより４．５〜６．５ｍｍ程度短いことが望ましく、これにより手術創保持部２２先端の湾曲した部分が手術創３１を固定する機能を妨げず、また開創器本体２１の手術創保持部２２上側の部分を保護することが出来る。
【００２３】
突起部１２の幅と高さは、手術創保持部２２の櫛状部分の幅と厚さと同じ程度となることが望ましい。
【００２４】
突起部１２の先端には固定部１３が設けられ、その大きさは突起部の幅と高さより０．７〜１．１ｍｍ程度大きいことが望ましく、その厚さは１．０〜１．５ｍｍ程度が望ましい。
【００２５】
開創器カバー１は以上のような形態だけでなく、開創器本体２１の棒状の部分に固定できるよう、本体１１の上端片側から伸びた棒状の部分の先に、開創器本体２１の太さに合わせた切り欠きのある円筒状の連結部を持つような形態のものや、手術創保持部２２開創器に被せられるよう、手術創保持部２２の間隔と太さに合わせた穴の開いたシート状のものなどにすることも出来る。
【００２６】
このような構成の開創器カバー１を、図２に示すように開創器２の手術創保持部２２に本体１１が内側となるように取り付け、図３のように手術創３１を固定して使用することで、手術時に手術創３１を損傷することや、開創器の隙間からはみ出した組織を手術中に傷つけることを防ぐことが出来る。また開創器カバー１の大きさを変更することで手術創の大きさによって様々な大きさの開創器を準備する必要がなく、さらに手術中に開創器の操作を行うための助手の医師がいなくても、安全に手術を行なうことが出来る。
【図面の簡単な説明】
【００２７】
【図１】本発明の開創器カバーの構成を示す斜視図
【図２】本発明の開創器カバーの開創器への装着時の斜視図
【図３】本発明の開創器カバーの使用方法を示した説明図
【符号の説明】
【００２８】
１  開創器カバー
１１  本体
１２  突起部
１３  固定部
２  開創器
２１  開創器本体
２２  手術創保持部
３  手術患部
３１  手術創
【図１】
2018099245.tif 000003
【図２】
2018099245.tif 000004
【図３】
2018099245.tif 000005